Podtech/llm-jp-corpus-v4-ja_patent huggingface dataset:
(57)【要約】      （修正有）【課題】ふせんの裏面が自他の構造物に付着したりまた、ふせん下にある文章や文字が隠れてしまったり、あるいはハサミ等でふせんを切断するときにハサミ等にふせんの裏面が付着したり、へばりついたりしないロール状ふせんを提供する。【解決手段】ロール状ふせんを以下の（イ）〜（ハ）の構成とする。（イ）ロール芯２にロール紙を幅８０ミリ、厚さ０．０６ミリ、長さ１０メートルのテープ状に形成せしめてなるロール状ふせん１とする。（ロ）ロール芯２は空洞の円筒形とし、円柱形錘を出し入れ自由に備えられる構造にしておき、専用カツターを使用しての実施時には専用カツターの一部品として利用できるように事前処置をしておく。（ハ）ふせん裏面６に、ふせん幅方向３の左始端から６ミリの位置から３０ミリ幅に貼ってはがせることができる接着層７をふせん長手方向４に細長く帯状形に形成する。【選択図】図１
0003234932.tif 000002
【実用新案登録請求の範囲】
【請求項１】
ロール状ふせんの裏面に、貼ってはがせることができる接着層を長手方向に細長く帯状形に備えたロール状ふせん。
【考案の詳細な説明】
【技術分野】
【０００１】  本考案は、ロール状ふせんの裏面に、貼ってはがせることができる接着層を長手方向に細長く帯状形に備えたロール状ふせんである。
【背景技術】
【０００２】  従来、裏面全面に貼ってはがせることができる接着層を備えたロール状ふせんが一般に広く知られている。
（特許文献１参照）（特許文献２参照）（特許文献３参照）（非特許文献１参照）
【先行技術文献】
【特許文献】
【０００３】
【特許文献１】特許６８８７５５３
【特許文献２】特開２０１５−１２３６９５
【特許文献３】実登３２０９６６５
【非特許文献】
【０００４】
【非特許文献１】アスクル  カタログ２０２１年  夏  Ｐ６８０・６８１
【考案の概要】
【考案が解決しようとする課題】
【０００５】  具体例として、裏面全面に貼ってはがせることができる接着層を備えた従来型のロール状ふせんで説明すれば次のような問題点があった。
（イ）ロール状ふせんの裏面全面に貼ってはがせることができる接着層を備えているため、ふせんの使用時に裏面の接着層が自他の構成物にまで付着してしまい、ふせんとしての役割よりむしろ貼付メモ紙としての利用に限定されてしまうことが多々あった。そのため貼着した部分を剥離せしめるのは大変面倒であり、再付着してしまうことが多かった。
（ロ）ロール状ふせん裏面全面に貼ってはがせることができる接着層を備えているため、ふせんの使用時に、ふせんの下にある文章や文字記号が隠れてしまって見えなくなる欠点があり、ふせんとしての機能が低下して利用価値が半減してしまっていた。
（ハ）ハサミやナイフ等でロール状ふせんを所望の寸法に切断して使用する場合にふせんの裏面全面に貼ってはがせることができる接着層を備えているため、ハサミやナイフ等にふせんの裏面がへばりついたり張り付いてしまうので切り離すのがやつかいであった。
（ニ）指先でロール状ふせんを所望寸法に切り離してふせんを得る場合、ロール状ふせんの裏面全面に貼ってはがせることができる接着層を備えているため、直角度に切り離す作業が難しく、裂けたりやぶれたりする場合が多々あった。
本考案は、以上の問題点を解決するためになされたものである。
【課題を解決するための手段】
【０００６】  本考案は、ロール状ふせんの裏面に貼ってはがせることができる接着層を長手方向に細長く帯状形に備えた構造からなるロール状ふせんである。
【考案の効果】
【０００７】  先行技術である貼ってはがせる接着層を裏面の全面に備えたロール状ふせんと接着層を長手方向に細長く帯状形に形成し備えた構造からなる本考案を対比すれば本考案は、
（イ）ロール状ふせんの使用時に、貼ってはがせることができる接着層を裏面の一部分のみに備えているので、ふせん使用時に自他の構成物等に付着してしまうことが無くなり、ふせんとしての本来の役割が大きく向上した。
（ロ）ロール状ふせん裏面の一部分のみに貼ってはがせることができる接着層を備えているので、ふせん使用時にふせんの下にある文章や文字記号が隠れて見えなくならないのでふせんとしての利用価値が大きく向上した。
（ハ）ハサミやナイフ等でロール状ふせんを所望の寸法に切断して使用する場合にふせん裏面の一部分のみに貼ってはがせることができる接着層を備えているので、ハサミやナイフ等にふせんの裏側がへばりついたり張り付いてしまうことがほとんどなくなった。
（ニ）指先でロール状ふせんを切断して、所望寸法のふせんを得る場合、ふせんの裏面の一部分のみに貼ってはがせることができる接着層を備えているので、直角度に切り離すことが容易になり長手方向等に裂けたりやぶれたりすることが少なくなった。
（ホ）ロール状ふせんの裏面の一部分のみに貼ってはがせることができる接着層を備えているので、従来よりも接着層の面積がかなり小さくて済み、製造時の費用が少なくて済む。
【図面の簡単な説明】
【０００８】
【図１】本考案に係るロール状ふせんの斜視図である。
【図２】本考案に係るロール状ふせんの側面図である。
【図３】本考案に係る実施例１の斜視図である。
【図４】本考案に係る実施例２の斜視図である。
【考案を実施するための形態】
【実施例１】
【０００９】  図３は、本考案に係る実施例１を示すものであり、ロール状ふせんの実施の形態を以下に説明する。
（イ）ロール芯（２）にロール紙を幅８０ミリ、厚さ０．０６ミリ、長さ１０メートルのテープ状に形成せしめてなるをロール状ふせん（１）とする。
（ロ）ロール芯（２）は空洞の円筒形とし、円柱形錘（８）を出し入れ自由に備えられる構造にしておき、専用カツター（９）を使用しての実施時には専用カツター（９）の一部品として利用できるように事前処置をしておく。
（ハ）ふせん裏面（６）に、ふせん幅方向（３）の左始端から６ミリの位置から３０ミリ幅に貼ってはがせることができる接着層（７）をふせん長手方向（４）に細長く帯状形に形成する。
本考案は、以上の構成よりなっている。
本考案を使用するときは、貼ってはがせる接着層を裏面の一部分のみに細長く長手方方向に備えているので、使用時には他の構成物の一部分に付着したり、ふせんの下にある文章や文字記号が隠れて見えなくなることがなく、またハサミ等で切断するときに裏面の接着層がハサミ等にへばりついたり張り付いたりすることがはとんどない。
さらに、指先等で切断する場合には、直角度に切り離すことが容易で、長手方向等に裂けたりやぶれたりすることがすくない。
接着層の面積がかなり少ないので、製造が経済的である。
【実施例２】
【００１０】  図４は本考案に係る実施例２を示すものであり、ロール状ふせんを専用カツター（９）を使用しての実施の斜視図である。
【符号の説明】
【００１１】  １  ロール状ふせん
２  ロール芯
３  ふせん幅方向
４  ふせん長手方向
５  ふせん表面
６  ふせん裏面
７  貼ってはがせることができる接着層
８  円柱形錘
９  専用カツター
１０  切断用刃
【図１】
0003234932.tif 000003
【図２】
0003234932.tif 000004
【図３】
0003234932.tif 000005
【図４】
0003234932.tif 000006
(57)【要約】      （修正有）【課題】２個の玉を別々の投入口から投入するタイミングによって、２個の玉が壁面上で衝突するかどうかが決まり、２個の玉が出る出口が変わる玩具を提供する。【解決手段】外見で識別でき直径と重さが同じで重心が中心にある２個の玉、以下のように設置した４つのスロープ、凹面、中央分離構造物から成る玩具とする。：（１）スロープ１、スロープ３は凹面に向かって下り勾配になるように設置する、（２）スロープ２、スロープ４は凹面から下り勾配になるように設置する、（３）スロープ２はスロープ３の下に設置する、（４）スロープ４はスロープ１の下に設置する、（５）スロープ２とスロープ４の間には中央分離構造物を設置する。【選択図】図１１
0003234980.tif 000002
【実用新案登録請求の範囲】
【請求項１】
外見で識別でき直径と重さが同じで重心が中心にある２個の玉、以下のように設置した４つのスロープ、凹面、中央分離構造物から成る玩具：（１）スロープ１、スロープ３は凹面に向かって下り勾配になるように設置する、（２）スロープ２、スロープ４は凹面から下り勾配になるように設置する、（３）スロープ２はスロープ３の下に設置する、（４）スロープ４はスロープ１の下に設置する、（５）スロープ２とスロープ４の間には中央分離構造物を設置する。
【考案の詳細な説明】
【技術分野】
【０００１】
本考案は、２個の玉、４つのスロープ、凹面、中央分離構造物から成る玩具に関するものである。
【背景技術】
【０００２】
２個の玉を別々のスロープを転がした後、空中で衝突させる玩具は考案されたが、壁面上で衝突させる玩具はなかった。
【先行技術文献】
【特許文献】
【０００３】
【特許文献１】実願２０２１―００３３２４
【考案の概要】
【考案が解決しようとする課題】
【０００４】
２個の玉を別々の投入口から投入するタイミングによって、２個の玉が壁面上で衝突するかどうかが決まり、２個の玉が出る出口が変わる玩具を提供する。
【課題を解決するための手段】
【０００５】
外見で識別でき直径と重さが同じで重心が中心にある２個の玉、以下のように設置した４つのスロープ、凹面、中央壁から成る装置を用意する：（１）スロープ１、スロープ３は凹面に向かって下り勾配になるように設置する、（２）スロープ２、スロープ４は凹面から下り勾配になるように設置する、（３）スロープ２はスロープ３の下に設置する、（４）スロープ４はスロープ１の下に設置する、（５）スロープ２とスロープ４の間には中央分離構造物を設置する。
【考案の効果】
【０００６】
本考案の玩具は、外見で識別できる２個の玉を投入するタイミングを変えることによって、出口が入れ替わることを観察できるという利点がある。
【図面の簡単な説明】
【０００７】
【図１】図１は、玉１がスロープ１を転がり始めようとしている状態を示す。
【図２】図２は、玉１がスロープ１を転がり終えた状態を示す。
【図３】図３は、玉１が凹面上を転がっている状態を示す。
【図４】図４は、玉１がスロープ２に落ち、転がり始めようとしている状態を示す。
【図５】図５は、玉１がスロープ２を転がり終えた状態を示す。
【図６】図６は、玉２がスロープ３を転がり始めようとしている状態を示す。
【図７】図７は、玉２がスロープ３を転がり終えた状態を示す。
【図８】図８は、玉２が凹面上を転がっている状態を示す。
【図９】図９は、玉２がスロープ２に落ち、転がり始めようとしている状態を示す。
【図１０】図１０は、玉２がスロープ４を転がり終えた状態を示す。
【図１１】図１１は、玉１がスロープ１を、玉２がスロープ３を、同時に転がり始めようとしている状態を示す。
【図１２】図１２は、玉１がスロープ１を、玉２がスロープ３を転がり終えた状態を示す。
【図１３】図１３は、玉１と玉２が凹面上で衝突した状態を示す。
【図１４】図１４は、玉１がスロープ４に、玉２がスロープ２に落ち、転がり始めようとしている状態を示す。
【図１５】図５は、玉１がスロープ４を、玉２がスロープ２を転がり終えた状態を示す。置を用い、玉１は谷２を、玉２は谷１を転がり落ちた状態を示す。
【考案を実施するための形態】
【０００８】
外見で識別でき直径と重さが同じで重心が中心にある２個の玉、以下のように設置した４つのスロープ、凹面、中央壁から成る装置を用意する：（１）スロープ１、スロープ３は凹面に向かって下り勾配になるように設置する、（２）スロープ２、スロープ４は凹面から下り勾配になるように設置する、（３）スロープ２はスロープ３の下に設置する、（４）スロープ４はスロープ１の下に設置する、（５）スロープ２とスロープ４の間には中央分離構造物を設置する。
【実施例１】
【０００９】
玉１をスロープ１の上部に投入すると、玉１はスロープ１を転がり落ちた後、凹面上を転がり、スロープ２の上部に落ち、スロープ２を転がり下りた。
【実施例２】
【００１０】
玉２をスロープ３の上部に投入すると、玉２はスロープ３を転がり落ちた後、凹面上を転がり、スロープ４の上部に落ち、スロープ４を転がり下りた。
【００１１】
玉１をスロープ１の上部に、玉２をスロープ３の上部に、同時に投入すると、玉１はスロープ１を、玉２はスロープ３を転がり落ちた後、凹面上で衝突し、玉１はスロープ４の上部に、玉２はスロープ２の上部に落ち、転がり下りた。
【産業上の利用可能性】
【００１２】
本考案の玩具は色々な年齢の人が一人や複数の人で、単独の玩具として又はスロープシステムの一部として組み込んだり、結果に点数を付与してゲームとしても楽しむことができるだけでなく、実演したり遊ばせると知能の発達段階に応じて見る人や遊ぶ人に色々な発見をさせることが期待できるため、見る人や遊ぶ人の反応を観察したり何か気が付いたことはないかを質問したりすることによって知能の発達や認知機能の衰えを調べるツールとして、またどうしてそうなるかを考えさせる教材や展示品としての利用が期待できる。
【図１】
0003234980.tif 000003
【図２】
0003234980.tif 000004
【図３】
0003234980.tif 000005
【図４】
0003234980.tif 000006
【図５】
0003234980.tif 000007
【図６】
0003234980.tif 000008
【図７】
0003234980.tif 000009
【図８】
0003234980.tif 000010
【図９】
0003234980.tif 000011
【図１０】
0003234980.tif 000012
【図１１】
0003234980.tif 000013
【図１２】
0003234980.tif 000014
【図１３】
0003234980.tif 000015
【図１４】
0003234980.tif 000016
【図１５】
0003234980.tif 000017
(57)【要約】      （修正有）【課題】猫のベットにもなる猫の爪研ぎ用具を提供する。【解決手段】猫の爪研ぎ用具１は、横方向に積層されて、上面に爪研ぎ面が形成された積層ダンボール素材２ａと、積層ダンボール素材２ａの前後に固着された補強板２ｂからなる本体部２を有している。本体部２は、猫が上に横になることのできる長方形のベッドの形状をしている。本体部２の長手方向の両端部には、猫が頭を載せることのできる枕状に膨出した膨出部３、４が設けられている。【選択図】図１
0003234979.tif 000002
【実用新案登録請求の範囲】
【請求項１】
猫が爪を研ぐことのできる猫の爪研ぎ用具であって、
横に積層されたダンボール素材を含み、猫が上に載って横になることのできるベッドの形状をした本体部を有し、
本体部の少なくとも上面が爪研ぎ面となっており、
本体部の端部に、猫が頭を載せることのできる枕状に膨出した膨出部が設けられていること、
を特徴とする猫の爪研ぎ用具。
【考案の詳細な説明】
【技術分野】
【０００１】
本考案は猫の爪研ぎ用具に係り、とくにベッドと兼用可能な猫の爪研ぎ用具に関する。
【背景技術】
【０００２】
従来、市販されている猫の爪研ぎ用具は、小型で小さく、爪研ぎにしか使用できなかった。
【考案の概要】
【考案が解決しようとする課題】
【０００３】
本考案は上記した従来技術の問題に鑑みなされたもので、猫のベットにもなる猫の爪研ぎ用具を提供することを、その目的とする。
【課題を解決するための手段】
【０００４】
請求項１記載の考案は、猫が爪を研ぐことのできる猫の爪研ぎ用具であって、
横に積層されたダンボール素材を含み、猫が上に載って横になることのできるベッドの形状をした本体部を有し、
本体部の少なくとも上面が爪研ぎ面となっており、
本体部の端部に、猫が頭を載せることのできる枕状に膨出した膨出部が設けられていること、
を特徴としている。
【考案の効果】
【０００５】
本考案によれば、猫が上に載って爪を研ぐだけでなく、横になってベッドとして使用できる。また、猫が膨大部に頭を載せて横になることができるので、寝心地が良くなる。
【図面の簡単な説明】
【０００６】
【図１】図１は本考案の一実施例に係る猫の爪研ぎ用具の外観斜視図である（実施例１）。
【図２】図２は図１の平面図である。
【図３】図３は図１の正面図である。
【図４】図４は図１の側面図である。
【考案を実施するための最良の形態】
【０００７】
以下、本考案の最良の形態を実施例に基づき説明する。
【実施例１】
【０００８】
図１乃至図４を用いて本考案の一実施例に係る猫の爪研ぎ用具を説明する。図１は猫の爪研ぎ用具の外観斜視図、図２は平面図、図３は正面図、図４は側面図である。
これらの図において、１は猫の爪研ぎ用具であり、横方向に積層されて、上面及び左右側面に爪研ぎ面が形成された積層ダンボール素材2aと、積層ダンボール素材2aの前後に固着された補強板２b からなる本体部２を有している。本体部2 は、猫が上に横になることのできる長方形のベッドの形状をしている。本体部２の長手方向( 図２の左右方向) の両端部には、猫が頭を載せることのできる枕状に膨出した膨出部３、４が設けられている。
【０００９】
この実施例によれば、猫が本体部２の上に載って爪を研ぐだけでなく、横になってベッドとしても使用できる。また、猫が膨大部３、４に頭を載せて横になることができるので、寝心地が良くなる。
【００１０】
なお、上記した実施例では、本体部の平面視の形状を長方形としたが、楕円形としても良く、また、長さ方向の両端部に膨大部を設けたが、一方の端部だけに設けるようにしても良い。
【産業上の利用可能性】
【００１１】
本考案は、猫用の爪研ぎや、ベッドに適用可能である。
【符号の説明】
【００１２】
２  本体部
３、４  膨大部
【図１】
0003234979.tif 000003
【図２】
0003234979.tif 000004
【図３】
0003234979.tif 000005
【図４】
0003234979.tif 000006
(57)【要約】      （修正有）【課題】具と液体の入った容器から、簡単に具を掬えるようにする、掬い部付食器を提供する。【解決手段】柄部２と掬い部３を備えたスプーン１であって、掬い部の左右方向の中心から見た右の一方側にだけ、複数の丸い孔４を設けてある。孔は掬い部の上部に設けてある。具と液体の入った容器にスプーンの掬い部を入れ、具と液体を掬い、掬い部の左側と右側の内、孔の開いた右側が下、反対の左側が上となるように傾けると、具は掬い部に残りながら、液体だけ孔から零れ落ちるので、簡単に具だけ掬い上げることができる。【選択図】図１
0003234904.tif 000002
【実用新案登録請求の範囲】
【請求項１】
柄部と掬い部を備えた掬い部付食器であって、
掬い部の左右方向の中心から見た左側または右側の一方側にだけ、１または複数の孔を設けたこと、
を特徴とする掬い部付食器。
【請求項２】
孔は掬い部の上部に設けたこと、
を特徴とする請求項１記載の掬い部付食器。
【請求項３】
掬い部の左右方向の中心から見た左側または右側の端縁の内、孔の開いた側の端縁の形状が容器内壁の形状の一部と一致するように形成されていること、
を特徴とする請求項１または２記載の掬い部付食器。
【考案の詳細な説明】
【技術分野】
【０００１】
本考案は掬い部付食器に係り、とくにスプーン、レンゲ等の掬い部付食器に関する。
【背景技術】
【０００２】
例えばスープと具の入った容器から具だけを食べようと思ったとき、スプーンを使うと具と一緒にスープも掬ってしまう。塩分の取り過ぎを避けるため、なるべくスープは飲みたくない場合、箸で具を掴み上げる必要があり、非常に面倒であった。
容器の底に残った具はごみとして捨ててしまっていたが、食材資源の無駄になるとともに、焼却により二酸化炭素の排出量が増えるなどして、環境に負担を掛ける結果となっていた。
【考案の概要】
【考案が解決しようとする課題】
【０００３】
本考案は上記した従来技術の問題に鑑みなされたもので、具と液体の入った容器から、簡単に具を掬うことのできる掬い部付食器を提供することを、その目的とする。
【課題を解決するための手段】
【０００４】
請求項１記載の考案は、
柄部と掬い部を備えた掬い部付食器であって、
掬い部の左右方向の中心から見た左側または右側の一方側にだけ、１または複数の孔を設けたこと、
を特徴としている。
請求項２記載の考案は、
孔は掬い部の上部に設けたこと、
を特徴としている。
請求項３記載の考案は、
掬い部の左右方向の中心から見た左側または右側の端縁の内、孔の開いた側の端縁の形状が容器内壁の形状の一部と一致するように形成されていること、
を特徴としている。
【考案の効果】
【０００５】
本考案によれば、具と液体の入った容器に掬い部を入れ、具と液体を掬い、掬い部の左側と右側の内、孔の開いた側が下、反対側が上となるように傾けると、孔から液体が零れ落ちるので、簡単に具を掬い上げることができる。容器の底に残った具を捨てなくて済み、食材資源の無駄がなくなるとともに、焼却による二酸化炭素の排出を抑制でき、環境に負担を掛けずに済む。
また、他の考案によれば、掬い部の孔の開いた側の端縁を容器内壁に当てながら、掬い部を傾けることにより、多めに具を掬った場合でも、具が掬い部から零れ難くなる。
【図面の簡単な説明】
【０００６】
【図１】図１は本考案の一実施例に係るスプーンの外観斜視図である（実施例１）。
【図２】図２は図１中のＩＩ−ＩＩ’線に沿った端面図である。
【図３】図３は図１の平面図である。
【図４】図４はスプーンの使用方法の説明図である。
【図５】図５はスプーンの使用方法の説明図である。
【図６】図６はスプーンの使用方法の説明図である。
【図７】図７は本考案の変形例を示す一部省略した平面図である。
【図８】図８は本考案の他の変形例を示す外観斜視図である。
【図９】図９は本考案の他の変形例を示す外観斜視図である。
【図１０】図１０は本考案の他の変形例を示す外観斜視図である。
【考案を実施するための最良の形態】
【０００７】
以下、本考案の最良の形態を実施例に基づき説明する。
【実施例１】
【０００８】
図１乃至図３を用いて本考案の一実施例に係るスプーンを説明する。図１はスプーンの外観斜視図、図２は図１のＩＩ−ＩＩ’線に沿った端面図、図３は図１の平面図である。
図１乃至図３において、１は金属、プラスチック、木材などの材質で形成された孔付きのスプーンであり、この内、２は手で持つ柄部、３は柄部２の先端に設けられた椀形の掬い部である。掬い部３には、左右方向の中心から見た左側または右側の内の一方側の上部にだけ、１または複数の孔が形成されている。この実施例では、掬い部３の右側の上部にだけ、複数個の丸い孔４が形成されている。
【０００９】
次に、図４乃至図６を参照して上記した孔付きのスプーン１の使用方法を説明する。
図４に示す如く具１０と液体１１の入った容器１２にスプーン１の掬い部３を入れ、具１０と液体１１を掬い、そのまま上に上げると、孔４から少し液体１１が零れ落ちるので、簡単に具１０と少しの液体１１を掬い上げることができる（図５参照）。
液体１１の量を大きく減らしたい場合は、図６に示す如く、掬い部３の左側と右側の内、孔４の開いた右側が下、反対の左側が上となるように傾けると、具１０は掬い部３に残りながら、液体１１だけ孔４から零れ落ちるので、簡単に具１０だけ掬い上げることができる。
【００１０】
この実施例によれば、具１０と液体１１の入った容器１２にスプーン１の掬い部３を入れ、具１０と液体１１を掬い、そのまま上に上げれば簡単に具１０と少しの液体１１を掬い上げることができる。掬い部３の左側と右側の内、孔４の開いた右側が下、反対の左側が上となるように傾けると、具１０は掬い部３に残りながら、液体１１だけ孔４から零れ落ちるので、簡単に具１０だけ掬い上げることができる。
【００１１】
なお、図７に示す如く、掬い部３の左右方向の中心から見た左側または右側の端縁の内、孔４の開いた側の端縁３Ａの形状が容器１２の内壁１２Ａの形状の一部と一致するように形成しておけば、掬い部３の孔４の開いた側の端縁３Ａを容器１２の内壁１２Ａに当てながら、掬い部３を傾けることにより、多めに具を掬った場合でも、具が掬い部３から零れ難くなる。
また、掬い部に設ける孔は、図１乃至図３の丸い孔に限定されず、長孔、三日月孔、四角孔としたり、これらの組み合わせとしても良い（図８乃至図１０のスプーン１Ａ、１Ｂ、１Ｃ参照）。
【産業上の利用可能性】
【００１２】
本考案は、食事で使用するスプーン、レンゲなどの掬い部と柄部の付いた食器に適用可能である。
【符号の説明】
【００１３】
１  スプーン
２  柄部
３  掬い部
４  孔
１０  具
１１  液体
１２  容器
【図１】
0003234904.tif 000003
【図２】
0003234904.tif 000004
【図３】
0003234904.tif 000005
【図４】
0003234904.tif 000006
【図５】
0003234904.tif 000007
【図６】
0003234904.tif 000008
【図７】
0003234904.tif 000009
【図８】
0003234904.tif 000010
【図９】
0003234904.tif 000011
【図１０】
0003234904.tif 000012
(57)【要約】      （修正有）【課題】軽量でモバイル型にすること、運搬時に練習用卓球ボールかごから卓球ボールがこぼれないようにすること、練習用卓球ボールかごの高さを変えられること、さらにタオル掛けの機能も持たせることができる、モバイル型練習用卓球ボールかごを提供する。【解決手段】ミニ三脚１と短い支柱を組み合わせた支柱２で支えられた卓球ボール８を入れるプラスチックのかご３からなり、プラスチックのかごにはふた４と取手５がつけられており、ふたがあるので、運搬時にもかごから卓球ボールがこぼれることがない。短い支柱の組み合わせを変えて、練習用卓球ボールかごの高さを変えることができ、鉄製の支柱に磁石フック６をかけて練習用卓球ボールかごのふたをかけることができ、ふたを押さえるバックル７に、ふたを開けたときはタオルをかけることができる。【選択図】図１
0003234906.tif 000002
【実用新案登録請求の範囲】
【請求項１】
ミニ三脚と支柱で卓球ボールの入るプラスチック製のかごを支えることにより軽量とし、かごにはふたと取手を設けて、運搬中にかごから卓球ボールがこぼれない、モバイル型の卓球ボール保管ボックスを兼ねた練習用卓球ボールかご。
【請求項２】
短い金属製の支柱を、いくつか繋げて全体の支柱とし、支柱の組み合わせを変えて練習用卓球ボールかごの高さを変えられる、請求項１に記載のモバイル型の練習用卓球ボールかご。
【請求項３】
鉄製の支柱の場合、磁石フックをつけて、卓球ボールの入るかごのふたをフックにかけられるようにすると共に、ふたを押さえるプラスチック製のバックルにふたを開けているときはタオルをかけれるようにした、請求項１に記載のモバイル型の練習用卓球ボールかご。
【考案の詳細な説明】
【技術分野】
【０００１】
本考案は、卓球の練習時に、卓球台と高さが近い位置に卓球ボールを入れたかごを置き、かごから卓球ボールを取り出して、効率的に卓球練習をするための練習用卓球ボールかごに関し、かごにふたを、ふたに取手をつけることにより、練習用卓球ボールかごとしてだけでなく、練習用卓球ボールかごを運搬時に横に寝かせても卓球ボールがこぼれない軽量でモバイル型とした、卓球ボールの保管を兼ねた練習用卓球ボールかごに関するものである。
【背景技術】
【０００２】
従来の練習用卓球ボールかごは、キャスター付きで重く、卓球場から持ち出すことはなく、卓球場内のみで使われていた。キャスター付きの練習用卓球ボールかごを幾分軽くして、練習用卓球ボールかごを車で運ぶ場合も、ふたがないため練習用卓球ボールかごに卓球ボールを入れたままは運べず、卓球ボールは別の入れ物に入れて運ばざる負えなかった。体育館や多目的室で卓球練習をする場合、練習用卓球ボールかごが備品として置かれていることは少なく、キャスターがなく軽いモバイル型で、練習用卓球ボールかごが卓球ボール保管ボックスにもなり、車での運搬時に練習用卓球ボールかごを横にしても卓球ボールがこぼれることのない、練習用卓球ボールかごが望まれてきた。
【考案の概要】
【考案が解決しようとする課題】
【０００３】
本考案が解決しようとする課題は、重いキャスター付きの練習用卓球ボールかごを軽量でモバイル型とし、モバイル中に練習用卓球ボールかごから卓球ボールがこぼれないようにすること、練習用卓球ボールかごを卓球台の下に収容できる高さや練習者の背の高さに合わせた高さに変えられること、さらに練習中に汗を拭くためのタオル掛けの機能も持たせることである。
【課題を解決するための手段】
【０００４】
本考案は、練習用卓球ボールかごの重いキャスターをなくし、ミニ三脚と金属製の支柱で卓球ボールの入るかごを支えて軽量とし、卓球ボールの入るかごにふたと取手を取り付けて、卓球ボールを練習用卓球ボールかごに入れたまま、車で運んでもかごから卓球ボールがこぼれないようにし、車から卓球練習のための体育館や多目的室に、取手をもって練習用卓球ボールかごを容易に運べるようにした。卓球ボールの入るかごのふたを押さえるバックルを卓球練習中はタオル掛けとし、鉄製の支柱の場合には磁石フックをつけて、練習用卓球ボールかごのふたをひっかける機能も付加した、モバイル型の練習用卓球ボールかご。
【考案の効果】
【０００５】
従来のキャスター付きの練習用卓球ボールかごを、ミニ三脚と支柱で卓球ボールの入るプラスチック製のかごを支えた、練習用卓球ボールかごにすることにより、卓球ボールを１２０個入れても全重量で約１．２kgと軽量にでき、モバイル型となった。
【０００６】
さらに、練習用卓球ボールかごにふたを取り付けることにより、車で練習用卓球ボールかごを運んでも、卓球ボールがこぼれることなく運べた。車から体育館や多目的室の卓球練習場まで運ぶのに、練習用卓球ボールかごのふたに取手をつけることにより、約１．２kgの練習用卓球ボールかごは容易に取手を持つことにより運べた。
【０００７】
さらに、短い金属製の支柱を、いくつか繋げて全体の支柱としているため、支柱の長さを自由に変えられ、練習用卓球ボールかごを卓球台の下に収容できる高さにも、練習者の背の高さに合わせた練習用卓球ボールかごの高さにも容易に変更できた。
【０００８】
さらに、練習用卓球ボールかごのふたは、鉄製の支柱の場合、磁石フックを取り付けて、ふたを磁石フックに引っ掛けることにより、ふたの置き場を確保でき、またふたを止めているプラスチック製のバックルが、ふたを開けたときはタオル掛けとなり、汗や卓球台を拭くのに便利になった。
【図面の簡単な説明】
【０００９】
【図１】本考案の一実施例のモバイル型の練習用卓球ボールかごを示す斜視図である。
【図２】練習用卓球ボールかごのふたをフックに引っ掛け、汗や卓球台を拭くタオルも収納している状況の説明図である。
【考案を実施するための形態】
【００１０】
本発明の実施形態について図面を参照して説明する。図１は、本考案の一実施例のモバイル型の練習用卓球ボールかごを示す斜視図である。従来の卓球ボールの入るかごを支えるキャスター付きの台の代わりに、ミニ三脚１と短い支柱を組み合わせた支柱２で、プラスチック製の卓球ボールを入れるかご３を支えて、軽量化した。卓球ボール８をかご３に入れたまま、車での移動や車から卓球練習をする体育館や多目的室への移動のため、卓球ボール８がかご３から落ちないように、ふた４をするとともに、取手５をふた４に設けた。卓球ボール１２０個をいれた練習用卓球ボールかごの重量は約１．２kgと軽量なため、取手５をもって運ぶことが容易である。
【００１１】
支柱２は、短い支柱をつなぎ合わせているため、短い支柱の組み合わせを変えて、練習用卓球ボールかごの高さを調整して、練習用卓球ボールかごを卓球台の下に入れることも、練習者の背の高さに合わせて練習用卓球ボールかごの高さを調整することもできる。磁石フック６は鉄製の支柱につけて、練習のために卓球ボール８を使う時は、ふた４を磁石フック６に引っ掛けることができる。練習用卓球ボールかご３のバックル７は、ふた４をあけているときは、汗や卓球台を拭くタオル９をかけておくと便利である。
【符号の説明】
【００１２】
１  ミニ三脚
２  支柱
３  かご
４  ふた
５  取手
６  フック
７  バックル
８  卓球ボール
９  タオル
【図１】
0003234906.tif 000003
【図２】
0003234906.tif 000004
(57)【要約】      （修正有）【課題】バンカーショットのフィーリング及び実感を習得できるバンカーショット練習具を提供する。【解決手段】スイング時にクラブヘッドのソールを押し当てて前方へ飛ばすクッションシート１と、ゴルフボール２と、からなり、好ましくは、クッションシートにその飛ばし距離を規制する紐部材３の一端を連結してなる。【選択図】図１
0003234924.tif 000002
【実用新案登録請求の範囲】
【請求項１】
スイング時にクラブヘッドのソールを押し当てて前方へ飛ばすクッションシートと、ゴルフボールと、からなることを特徴とするバンカーショット練習具。
【請求項２】
クッションシートに飛ばし距離を規制する紐部材の一端を連結したことを特徴とする請求項に記載のバンカーショット練習具。
【考案の詳細な説明】
【技術分野】
【０００１】
本考案は、バンカーショット練習具に関し、詳しくバンカーショットのフィーリング及び実感を習得できるバンカーショット練習具に関する。
【背景技術】
【０００２】
バンカーを有するゴルフ練習場が少なく現状ではバンカーショットを十分に練習できる機会は極めて少ない。
【０００３】
そこで、飛散する砂を使わないバンカーショット練習具として、垂直方向に多数植設された、毛丈３０〜６０ｍｍの長繊維の植毛体と毛丈約１０ｍｍの短繊維の植毛体とを、各々毛先をそろえて隣接して設けたバンカーショット練習板が提案されている（特許文献１）。
【０００４】
また、砂を用いたバンカーショット練習具として、シート状の囲い及び傾斜によりバンカーショットをして飛散した砂及びゴルフボールを直ちに元の砂容器に滑り落させ、改修できる構造を有する移動及び収納容易なバンカーショット練習具が提案されている（特許文献２）。
【０００５】
前記それぞれのバンカーショット練習具においては練習を重ねることによりそれぞれ練習の効果を得ることができるとされている。
【先行技術文献】
【特許文献】
【０００６】
【特許文献１】実開平４−６５５７３号公報
【特許文献２】実用新案登録第３０６７４４３号公報
【考案の概要】
【考案が解決しようとする課題】
【０００７】
本考案は、バンカーショットのフィーリング及び実感を習得できるバンカーショット練習具を提供することを目的とする。
【課題を解決するための手段】
【０００８】
前記課題を解決するため、本考案のバンカーショット練習具は、スイング時にクラブヘッドのソールを押し当てて前方へ飛ばすクッションシートと、ゴルフボールと、からなることを特徴とする（請求項１）。前記クッションシートの大きさはスイング時に前方へ飛ばすことが容易な大きさに構成される。
【０００９】
前記本考案のバンカーショット練習具は、前記クッションシートの上面にゴルフボールを置き、バンカーショットと同様のスイングを行うことを特徴とする。具体的には、クッションシートの上面に置いたゴルフボールの３〜５ｃｍ後方のクッションシートにクラブヘッドのソール部が押し当てられる状態でスイングが行われる。
【００１０】
前記のスイングを行うとクッションシートが前方へ飛ばされるとともにクラブヘッドがゴルフボールに当たり、クッションシートの前方へ飛ばしに遅れた状態でゴルフボールが浮き上がり前方へ飛んでバンカーショットのフィーリング及び実感を習得することができる。
【００１１】
本考案の実施の一形態は、前記クッションシートにその飛ばし距離を規制する紐部材の一端を連結したことを特徴とする（請求項２）。前記紐部材は伸縮性を有すゴム状の紐部材でも伸縮性を有しない紐部材でもよい。該紐部材はクッションシートが遠くに飛ばされることを防止するもので飛ばされたクッションシートを拾い集める手間を省くためのものでる。
【考案の効果】
【００１２】
本考案によれば、バンカーショットのフィーリング及び実感を習得することができる。
【図面の簡単な説明】
【００１３】
【図１】本考案の一実施例のゴルフ練習具の斜視図である。
【図２】練習状態を示す模式図である。
【考案を実施するための形態】
【００１４】
以下に、図面を参考に本考案の一実施例を説明する。
【００１５】
図中、１はクッションシート、２はゴルフボールである。クッションシート１はスイング時にクラブヘッドのソール部を押し当てて前方へ投げ出すことが容易な大きさに構成される。例えば、直径約３０ｃｍの円盤、長さ約３０ｃｍの楕円形盤、その他、ほぼ同大の矩形状盤などであってよい。
【００１６】
また、前記クッションシート１の厚さは特に限定されないが１０ｍｍ前後であることが好ましい。また、その素材は問わないが置き面上を滑り前方へ飛ばし易い素材であることが好ましい。一例として市販品のマイクロファイバークロスやタオル生地様の布材を挙げることができる。
【００１７】
前記クッションシート１の端部には該クッションシート１の飛ばし距離を規制する紐部材３の一端３ａが連結される。なお、紐部材３の他端３ｂは練習者の足あるいは足元近くに固定自在に構成される。なお、ゴルフボール自体にも飛距離規制紐部材を設けてもよい。
【００１８】
図２は練習状態を示す模式図であり、４は前記クッションシート１の置き面、５はクラブヘッド、６はクラブヘッド５のソールである。本考案では、クッションシート１の上面に置いたゴルフボール２の３〜５ｃｍ後方のクッションシート１にクラブヘッド５のソール６が押し当てた状態になるようにスイングが行われる。
【００１９】
その結果、クッションシート１が前方へ飛ばされるとともにクラブヘッド５にゴルフボール２が当たり、クッションシート１の前方への飛ばしに遅れでゴルフボール２が浮き上がり前方へ飛ばされてバンカーショットのフィーリング及び実感を習得できるものである。
【符号の説明】
【００２０】
１    クッションシート
２    ゴルフボール
３    紐部材
５    クラブヘッド
６    クラブヘッドのソール
【図１】
0003234924.tif 000003
【図２】
0003234924.tif 000004
(57)【要約】      （修正有）【課題】桶型にすることで利便性を高める組み合わせ式通年用猫つぐらを提供する。【解決手段】組み合わせ式通年用猫つぐらは、上部を開放し、側面に出入り口を設け、大きさの異なる２つの猫つぐらを組み合わせて、かまくら型の猫つぐらと同様の機能を実現する。猫つぐらを桶型に成形し、なおかつ組合せ式にすることで、さまざまな調整を可能とし、多様な使用方法を選択できる。さらに、収納および製作の容易さを高める。【選択図】図２
0003234912.tif 000002
【実用新案登録請求の範囲】
【請求項１】
猫つぐらの天井部を開放し、径が異なるものを複数個組み合わせることを特徴とした桶型猫つぐら
【考案の詳細な説明】
【技術分野】
【０００１】  本考案は、一般的に冬季の防寒用猫つぐらの天井部を除去し、桶型に成形したものを組み合わせることにより、夏季から冬季まで通年で使用可能な猫小屋（猫つぐら）に関するものである。
【背景技術】
【０００２】  新潟県および長野県の一部地域の民芸品である猫つぐらは、稲わらを編んで作られる猫用の寝床であり、一般にはかまくら型が主流である。
【考案の概要】
【考案が解決しようとする課題】
【０００５】  かまくら型の猫つぐらは、側面部に開けられた出入り口が常時開放されている。その通気性や保温性はその製品ごとに原則一定である。また、かまくら型の場合、収納時に多くのスペースを取り、個数が増えるほど収納の難易度が上がる。さらに、かまくら型は下から上にわらを編んでいき、上部にいくほど口を絞り、最終的に閉塞して天井を形成して製作する。とくに天井部の製作が複雑であり、熟練の職人が一つ一つ手作りで製作しており、機械化はほぼ不可能である。
【課題を解決するための手段】
【０００６】  桶型猫つぐらは、上部開放および側面に出入り口を設けている。大きさの異なる２つのものを合子状に組み合わせると、かまくら型の猫つぐらと同様の機能を有する。大小２つの組み合わせ代を上下させることにより内部空間の広さを調整することが可能であり、さらに大小２つの桶型を回転することにより出入り口の開閉量を変化させることができ、通気性や保温性を好みに合わせて調整を可能とする。あるいは、大小２つの桶型を取り外すことにより、別個の猫用ベッド（上部の開いた猫つぐら）として使用することもできる。大きさが異なるものは重ねることができ、使用時以外はコンパクトに収納することができる。桶型は比較的単純な形状であるため、製作の難易度も下がりうる。
【考案の効果】
【０００７】  上述のように、形状を単純化することで、従来と同様の猫用寝床としての機能だけでなく、個人に合ったより使い勝手の良い製品となりうる。また、形状の変化によって猫つぐら文化のさらなる普及や支援にも役立つ。
【図面の簡単な説明】
【０００８】
【図１】本考案の簡略した形状の正面図である。着色部は底面である。
【図２】大小二種の組み合わせ例図である。
【考案を実施するための形態】
【０００９】  従来のかまくら型を製作していくのと同様に、底面から上部に向かってわらを編んでいく。側面まで編んだ時点で編み目を閉じ、桶型で終了する。
【図１】
0003234912.tif 000003
【図２】
0003234912.tif 000004
【手続補正書】
【提出日】令和3年8月15日(2021.8.15)
【手続補正１】
【補正対象書類名】実用新案登録請求の範囲
【補正対象項目名】全文
【補正方法】変更
【補正の内容】
【実用新案登録請求の範囲】
【請求項１】
径が異なる複数の桶型からなる組み合わせ式通年用猫つぐらであって、前記複数の桶型は天井部が開放されていることを特徴とする組み合わせ式通年用猫つぐら。
(57)【要約】      （修正有）【課題】壁への取り付け位置を自由に決めることができ、簡単に取り付けできるステンレス吊棚を提供する。【解決手段】ステンレス吊棚は、壁にステンレス棚を固定する三角棚受け２を使用し、棚板１と三角棚受け２をＺ型ジョイント金具３で固定する。【選択図】図３
0003234917.tif 000002
【実用新案登録請求の範囲】
【請求項１】
三角棚受けを棚受けとして、棚と三角棚受けをＺ型ジョイント金具で固定したことを特徴とするステンレス吊棚
【考案の詳細な説明】
【技術分野】
【０００１】本考案は主として飲食店等の厨房やキッチンなどにおけるステンレス吊棚に関するものである。
【背景技術】
【０００２】従来、この種の吊棚においては、棚板の両側枠に壁へ取り付ける金具が一体型のため取り付け位置を下地材がある位置に調整する事ができない物が多かった。吊棚を取り付ける際、落下防止や安全性の為、金具の固定場所は必ず間柱や銅縁等の下地材に取り付ける必要がある。
また棚のサイズによって取り付け位置が変わるため下地材の有無や位置を確認した上で取り付けを検討するといった欠点があった。
【考案の概要】
【考案が解決しようとする課題】
【０００３】本考案は壁への取り付け金具の位置を自由に決めることができ、簡単に取り付け可能な吊棚を提供することを目的とするものである。
【課題を解決するための手段】
【０００４】上述の目的を達成するため、本考案の吊棚は、棚と壁に固定する三角棚受け、三角棚受けと棚を固定するＺ型のジョイント金具から構成される。
棚裏の折返し箇所と三角棚受けをＺ型のジョイント金具で固定することで達成する。
【考案の効果】
【０００５】本考案を用いる事で三角棚受けを横にスライドすることで自由に取り付け位置を決める事ができ、棚と三角棚受けも簡単に固定することができる。
【図面の簡単な説明】
【０００６】
【図１】この考案の吊棚の全容を示す斜視図
【図２】この考案の吊棚の全容を示す底面斜視図
【図３】この考案の棚と三角棚受けを取り付けた状態の一部破断の側面図
【符号の説明】１…棚板
２…三角棚受け
２ａ…ねじ挿通孔
３…Ｚ型ジョイント金具
３ａ…締付けねじ
【図１】
0003234917.tif 000003
【図２】
0003234917.tif 000004
【図３】
0003234917.tif 000005
(57)【要約】      （修正有）【課題】小便器利用時に発生する尿跳ねを、様々な身長の方の利用時においても著しく低減させる小便器を提供する。【解決手段】小便器を水平方向の断面で見た際に、便器中心線Ｃすなわち利用者の正中線上にあたるボウル部分に３０〜６０°の範囲で左右いずれかに傾斜を有し、これにより放出された尿が壁面へ接触する際の角度が浅くなる為尿跳ねを低減し、微細な尿の粒子も便器奥に向かって跳ねる為、小便器の外への尿跳ねを著しく低減させることができる。【選択図】図１
0003234918.tif 000002
【実用新案登録請求の範囲】
【請求項１】
小便器であって、小便器のボウル面を水平方向の断面で見た際に、中心部分に30〜60°の範囲で左右いずれかに傾斜を有しており左右非対称な外観を特徴とする小便器。
【考案の詳細な説明】
【技術分野】
【０００１】
本考案は、尿跳ねを低減させる男性用小便器に関するものである。
【背景技術】
【０００２】
放出された尿が小便器のボウル面に接触する際の角度が浅いほうが尿跳ねは少ない為、ボウル面にターゲットシールやレーザーポインターなどで利用者の尿の着地点を誘導し、角度が浅くなるように対策している商品もあるが、利用者の身長差の影響や利用者の実行意思に依存する為問題の解決には至っておらず、便器内だけでなく付近の床面や壁面、利用者本人の衣服や肌への付着が起きており長年公衆衛生上の課題にもなっている。
【０００３】
また、尿は放出されてから数センチメートル以内は層流状態であり、この状態で小便器のボウル面に接触すると尿跳ねは比較的少ない。しかし距離が長くなると乱流に遷移し、この状態で便器に接触すると激しく尿跳ねが発生する為、現状は一歩小便器に近づくように誘導する案内表示があるなどするが、これも十分に機能しておらず問題の解決には至っていない。
【先行技術文献】
【特許文献】
【０００４】
特開2020-045703
【考案の概要】
【考案が解決しようとする課題】
【０００５】
本考案の目的は、小便器を利用する際の尿跳ねを著しく低減し、公衆衛生の向上に貢献する小便器を提供することにある。
【課題を解決するための手段】
【０００６】
小便器の内側ボウル面を水平方向の断面で見た際に、中心部分に30〜60°の範囲で左右いずれかに傾斜を有す、左右非対称な設計をすることにより、従来通りに小便器の中心線Cに対して利用者が正中線を向けて立つだけで、必然的に放出される尿に対して便器のボウル面に角度が付く。
【考案の効果】
【０００７】
本考案の小便器を利用する際、従来通りに小便器の中心線Cに対して利用者の正中線を向けて立つだけで、必然的に放出される尿に対して便器のボウル面に角度が付き、これは放出された尿がボウル面に接触する高さには影響されない為、身長の違いによる影響を受けず、従来の小便器より広範囲に尿跳ねを低減する効果を発揮する。また、その為ボウル面にターゲットシールやレーザーポインターなどの目標物を設ける必要がなくコスト削減につながり、利用者の実行意思にも左右されない。
さらに、便器の中心線Cに位置するボウル面は従来の小便器より少し手前に来る為、尿放出地点と小便器ボウル面の着地点の距離が若干短くなりさらなる尿跳ね低減効果が期待できる。
【図面の簡単な説明】
【０００８】
【図１】上部（一般的な大人の腰の高さ）の小便器水平断面を示した説明図である。
【図２】下部（小児あるいは低身長者の利用を想定した高さ）の小便器水平断面を示した説明図である。
【図１】
0003234918.tif 000003
【図２】
0003234918.tif 000004
(57)【要約】      （修正有）【課題】ハチの巣取りの危険を除くハチとハチの巣取り道具を提供する。【解決手段】４５リットルのビニール袋の入口部分に設けられた複数の丸い穴と、丸い穴に通されたひもであって、タモ網をかこい、ひもを引くことによりふくろの入り口部分をしぼることが可能なひもを備える。【選択図】図２
0003234911.tif 000002
【実用新案登録請求の範囲】
【請求項１】
円すい形のタモ網の口の外側にビニル袋に穴を数ヶ所あけ、糸を通しその糸をしぼることを特徴としたハチとハチの巣取り。。
【考案の詳細な説明】
【技術分野】
【０００１】  本考案は、ハチの巣取りに関するものである。
【背景技術】
【０００２】  壁等に作られた、ハチの巣を取る道具は殆ど無かった。
【考案の開示】
【考案が解決しようとする課題】
【０００３】  釣りのタモ網のまわりをビニル袋でかこいそれをしぼってハチを取り、前途の欠点を解決している。
【課題を解決するための手段】
【０００４】  本考案は、ビニルのふくろをしぼることでハチ及びハチの巣を取ることで問題点を解決している。
【考案の効果】
【０００５】  上途の様に、ビニルぶくろをしぼることで目的を果たすことに役立つ。
【考案を実施するための最良の形態】
【０００６】  魚釣りのタモ網の網のまわりにビニルぶくろを糸でぬい、それをしぼるようにする。
【実施例】
【０００７】  以下、添付図に従って実施例を説明する。１のタモ網のまわりに、２のビニルぶくろをかぶせ、３の様にビニルぶくろをぬい合わせ糸を引くことで取る作業を行う。【０００８】  本考案の実施例は、上途の如き構成からなるもので、ハチの巣を取ることに便利である。
【図面の簡単な説明】
【０００９】
【図１】側面図
【図２】実施例図
【符号の説明】
【００１０】    １  タモ網
２  ビニルぶくろ
３  ビニルぶくろをぬったところ
【図１】
0003234911.tif 000003
【図２】
0003234911.tif 000004
【手続補正書】
【提出日】令和3年5月14日(2021.5.14)
【手続補正１】
【補正対象書類名】実用新案登録請求の範囲
【補正対象項目名】全文
【補正方法】変更
【補正の内容】
【実用新案登録請求の範囲】
【請求項１】
0003234911.tif 000005
を特徴とするハチとハチの巣取り道具。
【手続補正書】
【提出日】令和3年8月10日(2021.8.10)
【手続補正１】
【補正対象書類名】実用新案登録請求の範囲
【補正対象項目名】全文
【補正方法】変更
【補正の内容】
【実用新案登録請求の範囲】
【請求項１】
４５リットルのふくろの入口部分に設けられた複数の丸い穴と、前記丸い穴に通されたひもであって、前記ひもを引くことにより前記ふくろの入り口部分をしぼることが可能なひもを備える、ハチとハチの巣取り道具。